(57)【要約】【課題】扉体の前面に、システムキッチンの扉と同じ材質の化粧板を施しても運転状態が容易に確認できるデザイン性に優れた食器洗い機を提供する。【解決手段】食器類２９を収納し洗浄する洗浄槽２７を内蔵する食器洗い機本体１６と、前記食器洗い機本体１６の前方に設けた開口部１７を覆う扉体１８と、前記扉体１８の上部に設けられ、上方へ可視光を照射するランプ２２とを備えたもので、扉体１８の前面全てに、食器洗い機本体１６が収容されるシステムキッチンの扉（図示せず）と同じ材質の化粧板１９を施しても、扉体１８の上端とシステムキッチンのワークトップ２４との間の隙間から漏れ出るランプ２２からの光により、食器洗い機本体１６の運転状態が容易に確認できると共に、デザイン性に優れた食器洗い機を提供することができる。【選択図】図１
2007097804.tif 000002
【特許請求の範囲】
【請求項１】
食器類を収納し洗浄する洗浄槽を内蔵する食器洗い機本体と、前記食器洗い機本体の前方に設けた開口部を覆う扉体と、前記扉体の上部に設けられ、上方へ可視光を照射する発光体とを備えた食器洗い機。
【請求項２】
食器洗い機本体の前方上部に、発光体から照射された可視光を反射する反射板を設けた請求項１に記載の食器洗い機。
【請求項３】
発光体の上方に、前記発光体から照射された光を前方に導く導光部を設けた請求項１又は２に記載の食器洗い機。
【発明の詳細な説明】
【技術分野】
【０００１】
本発明は、システムキッチン等に収容され、食器等の洗浄および乾燥を行う食器洗い機に関するものである。
【背景技術】
【０００２】
従来の、この種の食器洗い機は、図３に示すように構成されていた（例えば、特許文献１参照）。以下、その構成について、同図を用いて説明する。
【０００３】
図３に示すように、システムキッチンに収容された食器洗い機本体１は、前面に開口部２を有し、その開口部２は扉体３によって覆われている。扉体３は、操作パネル４と化粧板５からなり、操作パネル４は、洗浄プログラムを選択するなどの運転操作を食器洗い機の前方から行うことができるよう構成されている。
【０００４】
また、食器洗い機本体１内に設けた洗浄槽６は、上方に槽開口部７を有し、食器類８を収容する食器かご９を配置している。食器かご９の下方には洗浄ノズル１０を回転自在に設けており、洗浄槽６内に溜めた洗浄水をポンプ１１によって循環させ、洗浄ノズル１０より噴射して食器類８を洗浄する。
【０００５】
洗浄槽６の側部には、第１のレール１２を固定しており、第１のレール１２は食器洗い機本体１側に固定した第２のレール１３によって前後方向へ平行移動可能に支持されている。
【０００６】
食器類８の出し入れを行う際には、操作パネル４に一体的に形成されたハンドル１４をつかみ、洗浄槽６を前方に引き出し、上方の槽開口部７より食器類８を収容する。次に洗浄槽６を食器洗い機本体１に戻し、操作パネル４により運転を開始すると、洗浄槽６の底部に配置されたヒータ１５で洗浄水を加熱しながら、洗浄ノズル１０から食器類８に向かって洗浄水を噴射し、食器類８の汚れを落とす洗浄行程を行う。その後、食器類８をすすいだ後、乾燥行程を行って運転を終了する。
【特許文献１】特開２００１−０４６３０１号公報
【発明の開示】
【発明が解決しようとする課題】
【０００７】
しかしながら、このような従来の食器洗い機の構成では、食器洗い機の運転状態を、前面に配置された操作パネル４の表示部で確認するようにしていたため、その部分によって、システムキッチンのデザインに制約が生じ、システムキッチンの種類によっては、食器洗い機の左右に配置される引き出しや収納等の扉と合わなくなり、デザインが損なわれるという課題を有していた。
【０００８】
また、操作パネル４を扉体３の前面から廃止し、左右の扉とデザインを合わせた場合、食器洗い機の運転状態が確認できないという課題を有していた。
【０００９】
本発明は、上記従来の課題を解決するもので、収容されるシステムキッチンの扉と同じ材質の化粧板が食器洗い機本体の前面全てに施され、前面に操作部等の表示がなくても運転状態が確認できる、デザイン性に優れた食器洗い機を提供することを目的としている。
【課題を解決するための手段】
【００１０】
上記課題を解決するために、本発明の食器洗い機は、食器類を収納し洗浄する洗浄槽を内蔵する食器洗い機本体と、前記食器洗い機本体の前方に設けた開口部を覆う扉体と、前記扉体の上部に設けられ、上方へ可視光を照射する発光体とを備えたもので、扉体の前面全てに、食器洗い機本体が収容されるシステムキッチンの扉と同じ材質の化粧板を施しても、扉体の上端とシステムキッチンのワークトップとの間の隙間から漏れ出る発光体からの光により、食器洗い機本体の運転状態が容易に確認できると共に、デザイン性に優れた食器洗い機を提供することができる。
【発明の効果】
【００１１】
本発明の食器洗い機は、収容されるキッチンの扉と同じ材質の化粧板が扉体の前面全てに施され、前面に操作部等の表示がなくても運転状態が確認できるデザイン性の優れた食器洗い機を提供することができる。
【発明を実施するための最良の形態】
【００１２】
第１の発明は、食器類を収納し洗浄する洗浄槽を内蔵する食器洗い機本体と、前記食器洗い機本体の前方に設けた開口部を覆う扉体と、前記扉体の上部に設けられ、上方へ可視光を照射する発光体とを備えたもので、扉体の前面全てに、食器洗い機本体が収容されるシステムキッチンの扉と同じ材質の化粧板を施しても、扉体の上端とシステムキッチンのワークトップとの間の隙間から漏れ出る発光体からの光により、食器洗い機本体の運転状態が容易に確認できると共に、デザイン性に優れた食器洗い機を提供することができる。
【００１３】
第２の発明は、特に、第１の発明の食器洗い機本体の前方上部に、発光体から照射された可視光を反射する反射板を設けたもので、発光体から照射される可視光をより有効に利用できるので、視認性を向上させることができる。
【００１４】
第３の発明は、特に、第１又は第２の発明の発光体の上方に、前記発光体から照射された光を前方に導く導光部を設けたもので、食器洗い機本体がシステムキッチンに組み込まれた状態で、ワークトップ等により発光体からの可視光が遮られることなく、あらゆる角度からの視認性を向上させることができる。
【００１５】
以下、本発明の実施の形態について、図面を参照しながら説明する。なお、この実施の形態により本発明が限定されるものではない。
【００１６】
（実施の形態１）
図１は、本発明の第１の実施の形態における食器洗い機の側断面図、図２は、同食器洗い機の要部断面図である。
【００１７】
図１、２において、１６は、システムキッチンに収容された食器洗い機本体（以下「本体１６」という）で、前面に開口部１７を有し、扉体１８によって覆われている。扉体１８は、前面全てがシステムキッチンの引き出し収納等の扉と同じ材質、大きさの化粧板１９と、化粧板１９を固定すると共に、上部に操作部２０を形成した操作パネル２１からなり、操作部２０は、洗浄プログラムを選択するなどの運転操作が食器洗い機の上方からできるように構成されている。
【００１８】
また、操作パネル２１は、その上面に上方へ可視光を照射する発光体であるランプ２２を複数個有し、洗浄プログラムの選択によって入り切りを行うことができるように構成されている。
【００１９】
また、食器洗い機本体１６の前方上部に、ランプ２２から照射された可視光を反射する反射板２３を設けている。反射板２３はステンレスの鏡面仕上げ材を使用し、その前端がキッチンのワークトップ２４の前端と略同一面に位置するよう取り付けられている。また、反射板２３は、ランプ２２の上方に位置すると共に、その下面にランプ２２の照射光を前方に導く導光部２５を有し、導光部２５の前端の発光面２６と反射板２３の前端とが略同一面になるよう構成している。
【００２０】
また、食器洗い機本体内１６に設けた洗浄槽２７は、上方に槽開口部２８を有し、食器類２９を収容する食器かご３０を配置している。食器かご３０の下方には洗浄ノズル３１を回転自在に設けており、洗浄槽２７内に溜めた洗浄水をポンプ３２で循環させ、洗浄ノズル３１より噴射して食器類２９を洗浄する。
【００２１】
洗浄槽２７の両側面には第１のレール３３が固定されており、その第１のレール３３は、食器洗い機本体１６側に固定した第２のレール３４で前後方向へ平行移動可能に支持されている。食器類２９の出し入れを行う際には、化粧板１９に設けたハンドル３５をつかみ、洗浄槽２７を前方に引き出し、上方の槽開口部２８より、食器かご３０に食器類２９を収容する。次に操作パネル２０により希望する洗浄プログラムを選択し、洗浄槽２７を食器洗い機本体１６に押し戻して、運転を開始する。
【００２２】
上記構成からなる本実施の形態における食器洗い機の動作、作用は以下の通りである。化粧板１９に設けたハンドル３５をつかみ、洗浄槽２７を引き出すと、操作パネル２０が露出し、上方から操作することができる。食器類２９をセットし、再び、洗浄槽２７を食器洗い機本体１６内に収容する。食器洗い機本体１６に収容した状態で、化粧板１９は、本体１６が収容されるシステムキッチンの扉と同じ材質、大きさであるため、デザインが損なわれることはない。また、運転と同時に洗浄プログラムに合わせてランプ２２が照射すると、化粧板１９とキッチンのワークトップ２４との隙間から可視光が漏れるので、その可視光によって食器洗い機の運転状態を容易に確認することができる。
【００２３】
また、ランプ２２からの可視光を反射させる反射板２３を設けたことにより、ワークトップ２４の下面の材質、色に左右されずにランプ２２からの可視光を確実に反射させることができ、ランプ２２から照射される可視光を有効的に使用し、視認性を向上させることができる。
【００２４】
なお、本実施の形態では、反射板２３として、ステンレスを用いたが、光を反射するものであれば材質にかかわらず、同効果を得ることができる。
【００２５】
また、ランプ２２の上方に導光部２５を設け、導光部２５の発光面２６を、ワークトップ２４の前端に合わせた反射板２３の前端に合わせたことにより、キッチンに収容された状態で、ワークトップ２４等によってランプ２２の可視光が遮られることなくあらゆる角度からの視認性を向上させることができる。
【００２６】
このように本実施の形態によれば、本体１６内に設けた洗浄槽２７と、本体１６の前方に設けた開口部１７を覆う扉体１８と、前記扉体１８の上部に設け、上方へ可視光を照射するランプ２２とを備えたことにより、収容されるシステムキッチンの扉と同じ材質、大きさの化粧板１９が前面全てに施された状態で、操作部等の表示部がなくても運転状態が容易に確認できると共に、デザイン性に優れた食器洗い機を提供することができる。
【００２７】
また、本体１６の前方上部に、ランプ２２から照射された可視光を反射する反射板２３を設けたことにより、ランプ２２から照射される可視光を有効に使用し、視認性を向上させることができる。
【００２８】
また、反射板２３に、ランプ２２の上方に位置する導光部２５を設けたことにより、システムキッチンに組み込まれた状態で、ワークトップ２４等によってランプ２２の可視光が遮られることなくあらゆる角度からの視認性を向上させることができる。
【産業上の利用可能性】
【００２９】
以上のように、本発明のかかる食器洗い機は、収容されるシステムキッチンの扉と同じ材質の化粧板が扉体の前面全てに施された状態で、操作部等の表示がなくても本体の運転状態が確認できると共に、デザイン性に優れたもので、食器洗い機に限らずシステムキッチンに組み込まれる乾燥機や、衣類洗濯機など各種機器に適用できるものである。
【図面の簡単な説明】
【００３０】
【図１】本発明の実施の形態１における食器洗い機の側断面図
【図２】同食器洗い機の要部断面図
【図３】従来の食器洗い機の側断面図
【符号の説明】
【００３１】
１６  食器洗い機本体（本体）
１７  開口部
１８  扉体
１９  化粧板
２２  ランプ（発光体）
２７  洗浄槽
２９  食器類
【図１】
2007097804.tif 000003
【図２】
2007097804.tif 000004
【図３】
2007097804.tif 000005